(57)【要約】  【課題】  使い勝手が良く、除塵効率の高いエアシャワー装置を提供する。  【解決手段】  空気吹き出し用のノズルを、フィルタ側からの空気をエアシャワー室側に導く第１の空気流動路と、該第１の空気流動路の側壁の互いに対向する位置に連通した第２の空気流動路とを設けた第１の構体と、該第１の構体を回動可能に支持する第２の構体とを備えて成り、第１の空気流動路に吸込んだ空気の一部を第２の空気流動路に流し、該第２の空気流動路が該第１の空気流動路と交わる領域間に圧力差を生じさせ、該圧力差の時間的変化により、第１の空気流動路を流れる空気の流動方向を時間的に変化させる構成とする。【選択図】  図２
2008145088.tif 000002
【特許請求の範囲】
【請求項１】
エアシャワー室内に空気を吹き出して清浄化する対象体に当て塵埃を除去するエアシャワー装置であって、
空気を圧縮して送風する送風機と、
上記送風機からの空気を濾過するフィルタと、
上記フィルタ側からの空気を上記エアシャワー室内に吹き出すノズルと、
を備え、
上記ノズルが、
内部に、上記フィルタ側からの空気を上記エアシャワー室側に導く第１の空気流動路と、該第１の空気流動路の側壁の互いに対向する位置に連通した第２の空気流動路とが設けられた第１の構体と、
上記第１の構体を回動可能に支持する第２の構体と、
を備え、上記第１の構体内において、上記第１の空気流動路に吸込まれた空気の一部が上記第２の空気流動路を流れることにより、該第２の空気流動路と該第１の空気流動路とが交わる領域間に圧力差を生じ、該圧力差により、該第１の空気流動路を流れる空気の流動方向が時間的に変化する構成とされていることを特徴とするエアシャワー装置。
【請求項２】
上記ノズルは、上記第１の構体の上記第１の空気流動路が複数の流動路に分岐した構成である請求項１に記載のエアシャワー装置。
【請求項３】
上記ノズルは、上記第１の構体がその表面に凸状曲面を有し、上記第２の構体がその表面に凹状曲面を有し、該第１の構体は、該凸状曲面が該第２の構体の該凹状曲面側に支持された状態で該第２の構体に対し３次元的に回動可能な構成である請求項１または請求項２に記載のエアシャワー装置。
【請求項４】
上記ノズルは、上記第１の構体がその表面に凸状曲面を有し、上記第２の構体がその表面に凹状曲面を有し、該凸状曲面が該凹状曲面側に支持され、該第１の構体は該第２の構体に対し、上記第１の空気流動路を流れる空気の流動方向が変化する平面内または該平面に直角な平面内で回動可能な構成である請求項１または請求項２に記載のエアシャワー装置。
【請求項５】
上記ノズルは、上記エアシャワー室を形成する内壁のうち対向する内壁のそれぞれの面内にあって、互いに対向位置からずれた位置に設けられる請求項１または請求項２に記載のエアシャワー装置。
【発明の詳細な説明】
【技術分野】
【０００１】
本発明は、エアシャワー室内に空気を吹き出し、人体、衣類または製品などの清浄化する対象体に当て、該対象体に付着した塵埃を除去するエアシャワー装置に係り、特に、空気吹き出し用のノズルの構成に関する。
【背景技術】
【０００２】
従来、エアシャワー装置は、例えばクリーンルームの出入口に設置され、作業者や製品が通過する際に、清浄化された空気をノズルから高速で吹き出させ、作業者の体や衣類や製品などに当てることで、これらに付着している塵埃を吹き飛ばして除去している。本発明に関連する技術であって、特許文献に記載されたものとしては、例えば、特開２００４−１８３９６４号公報（特許文献１）に記載されたものがある。該特開２００４−１８３９６４号公報には、エアシャワー装置において、広範囲かつ高効率の除塵を行えるようにするために、コアンダ効果を利用するノズルを用いた構成が記載されている。コアンダ効果を利用したノズルでは、ノズルの空気吹き出し部における空気の流動方向が時間的に変化する。
【０００３】
【特許文献１】特開２００４−１８３９６４号公報
【発明の開示】
【発明が解決しようとする課題】
【０００４】
特開２００４−１８３９６４号公報記載のエアシャワー装置では、コアンダ効果により、ノズルの空気吹き出し部における空気の流動方向が変化するため、変化しない方式のものに比べ、除塵効率が高くかつ空気の吹き出し範囲も広い。しかしながら、ノズルの空気吹き出し部が固定されているため、該空気の吹き出し範囲をさらに増大させることは難しいと考えられる。該空気の吹き出し範囲のさらなる増大化は、例えばノズルの増設により可能となるが、この場合には製造コストの増大につながる。
【０００５】
本発明の課題点は、上記従来技術の状況に鑑み、コアンダ効果を利用するノズルを用いたエアシャワー装置において、各ノズルの空気吹き出し範囲をさらに増大できるようにすることである。
本発明の目的は、使い勝手が良く、除塵効率の高いエアシャワー装置を提供することにある。
【課題を解決するための手段】
【０００６】
上記課題点を解決するために、本発明では、エアシャワー装置として、空気吹き出し用のノズルを、フィルタ側からの空気をエアシャワー室側に導く第１の空気流動路と、該第１の空気流動路の側壁の互いに対向する位置に連通した第２の空気流動路とを設けた第１の構体と、該第１の構体を回動可能に支持する第２の構体とを備えて成り、第１の空気流動路に吸込んだ空気の一部を第２の空気流動路に流し、該第２の空気流動路が該第１の空気流動路と交わる領域間に圧力差を生じさせ、該圧力差の時間的変化により、第１の空気流動路を流れる空気の流動方向を時間的に変化させる構成とする。
【発明の効果】
【０００７】
本発明によれば、エアシャワー装置において、ノズルの空気吹き出し範囲をさらに増大させることができ、除塵効率の向上、使い勝手性の改善を図ることが可能となる。
【発明を実施するための最良の形態】
【０００８】
以下、本発明の実施例につき、図面を用いて説明する。
図１〜図４は、本発明の実施例としてのエアシャワー装置の説明図である。図１は、本発明の実施例としてのエアシャワー装置の構成例図、図２は、図１のエアシャワー装置に用いるノズルの構成例図、図３は、図２のノズルにおける空気流動路の説明図、図４は、図１のエアシャワー装置におけるノズル配置の説明図である。
以下、図面で用いる構成要素の符号や座標軸は全図について共通のものを用いるとする。
【０００９】
図１において、１は、エアシャワー室内に空気を吹き出し、人体や衣類や製品など清浄化する対象体に当て、付着している塵埃を除去するエアシャワー装置、１１は、空気を圧縮して送風する送風機、１２ａ、１２ｂは、送風機１１からの空気を濾過するフィルタ、１３はエアシャワー室、１４ａ、１４ｂはドア、１５は筐体、１６、１６ａ〜１６ｇはそれぞれ、フィルタ１２ａ、１２ｂ側からの空気を上記エアシャワー室１３内に吹き出すノズルである。
【００１０】
上記ノズル１６は、各ノズル１６ａ、１６ｂ、１６ｃ、…、１６ｇが、その内部に空気流動路が形成された第１の構体と、該構体を回動可能に支持する第２の構体とを備えて成る。第１の構体は、空気流動路として、フィルタ１２ａ、１２ｂ側からの圧縮された空気をエアシャワー室１３側に導く第１の空気流動路と、該第１の空気流動路の側壁の互いに対向する位置に連通した第２の空気流動路とが設けられた構成を有する。
図１では、ノズル１６として、エアシャワー室１３に対して左側（−Ｙ軸方向）に配置されたノズル１６ａ〜１６ｇだけを示したが、エアシャワー室１３の右側（Ｙ軸方向）にもノズルが配置されているものとする。
【００１１】
図２は、ノズル１６のうちの１つのノズル１６ａの構成例図である。
図２において、１６１は、内部に空気流動路が形成された第１の構体、１６２は、該第１の構体１６１を回動可能に支持する第２の構体、１６１１ａ、１６１１ｂは、フィルタ１２ａ、１２ｂ側からの圧縮された空気をエアシャワー室１３側に導く第１の空気流動路、１６１２ａ、１６１２ｂは、該第１の空気流動路の側壁の互いに対向する位置に連通した第２の空気流動路、１６１１ａｉは、第１の空気流動路１６１１ａの空気流入口、１６１１ｂｏは、第１の空気流動路１６１１ｂの空気吹き出し口、Ｅｉは流入空気、Ｅｏは吹き出し空気である。第１の構体１６１内において、第２の空気流動路１６１２は、コアンダ効果により第１の空気流動路１６１１ａ、１６１１ｂ内における空気の流れの方向を時間的に変化させる。すなわち、第１の空気流動路１６１１ａに流入した空気の一部が第２の空気流動路１６１２ａ、１６１２ｂを流れることにより、該第２の空気流動路１６１２ａ、１６１２ｂが該第１の空気流動路１６１１ａと交わる領域間に圧力差を生じ、該圧力差によって、該第１の空気流動路１６１１ａ、１６１１ｂ内を流れる空気の流動方向が時間的に変化し、該第１の空気流動路１６１１ａ、１６１１ｂ内で気流振動が発生する。
【００１２】
第１の構体１６１はその表面に凸状曲面すなわち凸状球面を有し、第２の構体１６２はその表面に凹状曲面すなわち凹状球面を有する。第１の構体１６１は、その凸状球面が第２の構体１６２の凹状球面によって直接的にまたは間接的に支持され、該第２の構体１６２に対し３次元的に回動可能な構成であり、少なくとも、第１の空気流動路１６１１ａ、１６１１ｂを流れる空気の流動方向が変化するＸＹ平面内及び該ＸＹ平面に直角なＹＺ平面内で回動可能な構成である。他のノズル１６ｂ〜１６ｇも該ノズル１６ａと同様の構成を有するとする。
【００１３】
図３は、図２のノズル１６ａにおける第１の構体１６１内の空気流動路の説明図である。（ａ）は、図２の構成のＡ−Ａ'断面図、（ｂ）は、図２の構成のＢ−Ｂ'断面図である。
図３において、Ｑ１、Ｑ２はそれぞれ、第２の空気流動路１６１２ａが第１の空気流動路１６１１ａと交わる領域、Ｑ３、Ｑ４はそれぞれ、第２の空気流動路１６１２ｂが第１の空気流動路１６１１ａと交わる領域である。かかる構成において、空気の流動時、コアンダ効果が発生する。
【００１４】
フィルタ１２ａ、１２ｂ側からの圧縮された空気が、ノズル１６ａの第１の構体１６１内において、空気流入口１６１１ａｉから第１の空気流動路１６１１ａに流入されると、該空気はその一部が第２の空気流動路１６１２ａ、１６１２ｂに流入するとともに、領域Ｑ１、Ｑ２、Ｑ３、Ｑ４のそれぞれに渦を発生し、領域Ｑ１、Ｑ２間及びＱ３、Ｑ４間に圧力差を生ずる。該圧力差は、該第１の空気流動路１６１１ａ、１６１１ｂ内を流れる空気の流動方向を時間的に変化させる。例えば、ある時点で領域Ｑ１の圧力が領域Ｑ２の圧力よりも低く、領域Ｑ３の圧力が領域Ｑ４の圧力よりも低い場合には、第１の空気流動路１６１１ａ内の空気の流れは領域Ｑ１、Ｑ３側に引き寄せられる。かかる流動状態では空気は、時間経過とともに、領域Ｑ１、Ｑ３で圧力が次第に増大し、領域Ｑ２、Ｑ４での圧力が次第に減少する。領域Ｑ１、Ｑ３での圧力の増大及び領域Ｑ２、Ｑ４での圧力の減少に伴い、第１の空気流動路１６１１ａ内の空気の流れは、領域Ｑ１、Ｑ３側から次第に離間し、やがてある時点で、領域Ｑ２の圧力が領域Ｑ１の圧力よりも低く、領域Ｑ４の圧力が領域Ｑ３の圧力よりも低くなった場合には、第１の空気流動路１６１１ａ内の空気の流れは領域Ｑ２、Ｑ４側に引き寄せられる。このように、第２の空気流動路１６１２ａ、１６１２ｂが、第１の空気流動路１６１１ａ内の空気の流れを、領域Ｑ１、Ｑ３側に引き寄せたり、領域Ｑ２、Ｑ４側に引き寄せたりして、気流をＸＹ平面内で振動させる（コアンダ効果）。第１の空気流動路１６１１ｂ内の空気の流れも、第１の空気流動路１６１１ａ内の空気の流れに従ってその方向（流動方向）が変化し、振動状態となる。
【００１５】
図４は、図１のエアシャワー装置１におけるノズル配置例を示す図である。
図４において、１６ａ'、１６ｈ'は、図１のエアシャワー室１３の右側（Ｙ軸方向）に配され、ノズル１６ａ、１６ｈとは−Ｘ軸方向にそれぞれ所定距離ｘ１、ｘ２ずらして配されたノズル、３０は、例えばクリーンルーム内で作業するために清浄化される対象としての人物（作業者）である。ノズル１６ａ'、１６ｈ'はそれぞれ、ノズル１６ａ、１６ｈと同様、第１の構体内に、上記図２、図３で説明した構成の第１、第２の空気流動路を備え、かつ、第１の構体は、第２の構体により回動可能に支持されているものとする。また、図４では図示されていないが、エアシャワー室１３の右側（Ｙ軸方向）にはさらに、ノズル１６ｂ'〜１６ｇ'、１６ｉ'、１６ｊ'がそれぞれ、ノズル１６ｂ〜１６ｇ、１６ｉ、１６ｊに対し、−Ｘ軸方向に所定距離ずらしては配されている。この他、エアシャワー室１３の左側のノズルと右側のノズルは、Ｚ軸方向に互いにずれた位置に配されるようにしてもよい。
【００１６】
上記図１〜図４で説明した構成のエアシャワー装置１によれば、ノズル１６ａ〜１６ｊ、１６ａ'〜１６ｊ'がそれぞれ、第１の構体１６１が、第２の空気流動路１６１２により、第１の空気流動路１６１１ａ、１６１１ｂ内を流れる空気の流動方向を時間的に変化させ、し、該第１の空気流動路１６１１ａ、１６１１ｂ内で気流振動を起こさせることにより、フィルタ１２ａ、１２ｂ側からの空気をエアシャワー室１３内の広範囲の領域に吹き出させることができる上、該第１の構体１６１を第２の構体１６２に対し３次元的に回動させることで、上記流動方向が変化した空気の吹き出される方向をノズル毎に変えることができるとともに、該吹き出される空気のエアシャワー室１３内での到達領域をさらに広範囲化することができる。この結果、人物３０の体や衣服などに付着した塵埃等を効果的に吹き飛ばして取り除くことができる。また、ノズル数の減少も可能となり、この点からの低コスト化を図ることができる。
【００１７】
図５は、ノズルの他の構成例を示す図である。本例は、ノズルの第１の構体が、第１の空気流動路を流れる空気の流動方向が変化する平面内で、第２の構体に対し回動可能な構成の場合である。
図５において、１６１'はノズルの第１の構体、１６１１ａ'、１６１１ｂ'は、フィルタ側からの圧縮された空気をエアシャワー室側に導く第１の空気流動路、１６１２'は、該第１の空気流動路の側壁の互いに対向する位置に連通した第２の空気流動路、１６１１ａｉ'は、第１の空気流動路１６１１ａ'の空気流入口、１６１１ｂｏ'は、第１の空気流動路１６１１ｂ'の空気吹き出し口、Ｅｉ'は流入空気、Ｅｏ'は吹き出し空気である。第１の構体１６１'内において、第２の空気流動路１６１２'は、コアンダ効果により第１の空気流動路１６１１ａ'、１６１１ｂ'内における空気の流れの方向を変化させる。すなわち、第１の空気流動路１６１１ａ'に流入した空気の一部が第２の空気流動路１６１２'を流れることで、該第２の空気流動路１６１２'が該第１の空気流動路１６１１ａ'と交わる２つの部分間に圧力差を生じ、該圧力差により、該第１の空気流動路１６１１ａ'、１６１１ｂ'内を流れる空気の流動方向が時間的に変化し、該第１の空気流動路１６１１ａ'、１６１１ｂ'内で気流振動が発生する。この結果、流動方向が時間的に変化した吹き出し空気Ｅｏ'が、空気吹き出し口１６１１ｂｏ'から吹き出される。ノズルの第１の構体１６１'は、第１の空気流動路１６１１ａ'、１６１１ｂ'内を流れる空気の流動方向が変化するＸＹ平面内で、第２の構体（図示なし）に対しθ１の角度範囲で回動する。
【００１８】
ノズルの第１の構体として上記図５の第１の構体１６１'を用いたエアシャワー装置の場合も、第１の空気流動路１６１１ａ'、１６１１ｂ'を流れる空気の流動方向が変化する平面内で空気吹き出し口から吹き出される空気のエアシャワー室内での到達領域をさらに広範囲化することができる。エアシャワー室内での該到達領域を各ノズル毎に変えることも可能である。この結果、人体や衣服や製品など清浄化対象体に付着している塵埃等を効果的に吹き飛ばすことができる。
【００１９】
図６は、ノズルの他の構成例を示す図である。本例は、ノズルの第１の構体が、第１の空気流動路を流れる空気の流動方向が変化する平面に直角な平面内で、第２の構体に対し回動可能とした構成の場合である。
図６において、１６''はノズル，１６１''はノズル１６''の第１の構体、１６２''はノズル１６''の第２の構体、１６１１''は、フィルタ側からの圧縮された空気をエアシャワー室側に導く第１の空気流動路、１６１２''は、該第１の空気流動路１６１１''の側壁の互いに対向する位置に連通した第２の空気流動路、１６１１ｉ''は、第１の空気流動路１６１１''の空気流入口、１６１１ｏ''は、第１の空気流動路１６１１''の空気吹き出し口、Ｅｉ''は流入空気、Ｅｏ''は吹き出し空気である。第１の構体１６１''内において、第１の空気流動路１６１１''内を流れる空気は、第２の空気流動路１６１２''によって流動方向ＸＹ平面内で変化し、気流振動を発生する。第１の構体１６１''は、第１の空気流動路１６１１''内を流れる空気の流動方向が変化するＸＹ平面に直角なＹＺ平面内で、第２の構体１６２''に対しθ２の角度範囲で回動する。
【００２０】
ノズルとして上記図６のノズル１６''を用いたエアシャワー装置の場合も、第１の空気流動路１６１１''を流れる空気の流動方向が変化する平面に直角な平面内で空気吹き出し口から吹き出される空気のエアシャワー室内での到達領域をさらに広範囲化することができる。エアシャワー室内での該到達領域を各ノズル毎に変えることも可能である。この結果、清浄化する対象体に付着している塵埃等を効果的に吹き飛ばすことができる。
【００２１】
図７は、ノズルの第１の構体内における空気流動路の他の構成例を示す図である。本例は、ノズルの第１の構体内において、第１の空気流動路が複数の流動路に分岐した構成の場合である。（ａ）、（ｂ）、（ｃ）は、第１の空気流動路内を流れる空気の流動方向がＸＹ平面内で時間的に変化する状態を示す。
図７において、１６１Ａはノズルの第１の構体、１６１１Ａは、フィルタ側から流入された空気を導く第１の空気流動路、１６１１Ｂ１、１６１１Ｂ２、１６１１Ｂ３はそれぞれ、第１の空気流動路１６１１Ａから分岐した複数の流動路（第１の空気流動路）、１６１２Ｐは、第１の空気流動路１６１１Ａの側壁の互いに対向する位置に連通した第２の空気流動路、１６１１Ａｉは空気流入口、１６１１Ｂｏ１、１６１１Ｂｏ２、１６１１Ｂｏ３はそれぞれ、第１の空気流動路１６１１Ｂ１、１６１１Ｂ２、１６１１Ｂ３の空気吹き出し口、Ｅｉは流入空気、ＥＡは、第１の空気流動路１６１１Ａにおける流動空気、ＥＢｏ１、ＥＢｏ２、ＥＢｏ３はそれぞれ、空気吹き出し口１６１１Ｂｏ１、１６１１Ｂｏ２、１６１１Ｂｏ３からの吹き出し空気である。
【００２２】
図７において、第１の構体１６１Ａ内において、第２の空気流動路１６１２Ｐは、コアンダ効果により第１の空気流動路１６１１Ａ内における空気の流れの方向を少なくともＸＹ平面内で変化させる。すなわち、第１の空気流動路１６１１Ａに流入した空気の一部が第２の空気流動路１６１２Ｐ内を流れることにより、該第２の空気流動路１６１２Ｐが該第１の空気流動路１６１１Ａと交わるＱ１'部、Ｑ２'部それぞれの圧力状態を変化させる。（ａ）は、Ｑ１'部、Ｑ２'部間に圧力差を生じた場合すなわちＱ１'部の圧力がＱ２'部の圧力よりも低くなった場合の第１の構体１６１Ａ内の空気の流動状態を示す。この場合、該圧力差により、該第１の空気流動路１６１１Ａ内を流れる空気の流れがＸ軸方向に引き寄せられ、流動空気ＥＡの状態となる。この結果、分岐した空気流動路である第１の空気流動路１６１１Ｂ１、１６１１Ｂ２、１６１１Ｂ３に対しては、第１の空気流動路１６１１Ｂ１への空気流入量が最も多く、次に第１の空気流動路１６１１Ｂ２への空気流入量が多く、第１の空気流動路１６１１Ｂ３への空気流入量は最も少なくなる。第１の空気流動路１６１１Ｂ１からは流量が最も多い吹き出し空気ＥＢｏ１が吹き出され、第１の空気流動路１６１１Ｂ２からは流量が次に多い吹き出し空気ＥＢｏ２が吹き出され、第１の空気流動路１６１１Ｂ３からは流量が最も少ない吹き出し空気ＥＢｏ３が吹き出される。
【００２３】
その後、時間経過とともに第２の空気流動路１６１２Ｐ内を流れる空気の状態が変化し、Ｑ１'部、Ｑ２'部間の圧力差が減少する。該圧力差が減少するにつれ、第１の空気流動路１６１１Ａ内を流れる空気の流れが−Ｘ軸方向に引き戻される。（ｂ）は、Ｑ１'部、Ｑ２'部間の圧力差がほぼゼロとなった場合の第１の構体１６１Ａ内の空気の流動状態を示す。このときの（ｂ）に示す。（ｂ）の状態においては、分岐した第１の空気流動路１６１１Ｂ２への空気流入量が最も多く、第１の空気流動路１６１１Ｂ１、１６１１Ｂ３への空気流入量はほぼ等しくなる。第１の空気流動路１６１１Ｂ２からは流量が最も多い吹き出し空気ＥＢｏ２が吹き出され、第１の空気流動路１６１１Ｂ１、１６１１Ｂ３からは流量がほぼ等しい吹き出し空気ＥＢｏ１、ＥＢｏ３が吹き出される。
【００２４】
さらに、その後、時間経過とともに第２の空気流動路１６１２Ｐ内を流れる空気の状態がさらに変化し、Ｑ１'部、Ｑ２'部間の圧力差が増大しＱ１'部の圧力がＱ２'部の圧力よりも高くなるすなわちＱ２'部の圧力がＱ１'部の圧力よりも低くなる。Ｑ２'部の圧力がＱ１'部の圧力よりも低くなることで、第１の空気流動路１６１１Ａ内を流れる空気の流れがさらに−Ｘ軸方向に引き戻され、（ｃ）の流動状態となる。（ｃ）の状態では、第１の空気流動路１６１１Ｂ３からは流量が最も多い吹き出し空気ＥＢｏ１が吹き出され、第１の空気流動路１６１１Ｂ２からは流量が次に多い吹き出し空気ＥＢｏ２が吹き出され、第１の空気流動路１６１１Ｂ１からは流量が最も少ない吹き出し空気ＥＢｏ３が吹き出される。
【００２５】
上記のように、図７のノズルの第１の構体１６１Ａの第１の空気流動路１６１１Ａ、１６１１Ｂ１、１６１１Ｂ２、１６１１Ｂ３内の空気の流動状態は、時間の経過とともに（ａ）、（ｂ）、（ｃ）の順に変化する。第１の構体１６１Ａは、第１の空気流動路を流れる空気の流動方向が変化する平面内または該平面に直角な平面内で回動可能なように、第２の構体（図示なし）によって支持されているものとする。
【００２６】
図７の第１の構体１６１Ａをノズルに用いた構成のエアシャワー装置の場合も、第１の空気流動路１６１１Ａ、１６１１Ｂ１、１６１１Ｂ２、１６１１Ｂ３を流れる空気の流動方向が変化するＸＹ平面内で、空気吹き出し口から吹き出される空気のエアシャワー室内での到達領域をさらに広範囲化することができる。また、エアシャワー室内での該到達領域を各ノズル毎に変えることも可能である。この結果、清浄化する対象体に付着している塵埃等を効果的に吹き飛ばすことができる。
【００２７】
図８は、ノズルの第１の構体内における空気流動路のさらに他の構成例を示す図である。本例は、ノズルの第１の構体内において、第１の空気流動路が複数の流動路に分岐し、該分岐した複数の流動路に対して第２の空気流動路を設けた場合である。
図８において、１６１Ａ'はノズルの第１の構体、１６１１Ａ'は、フィルタ側から流入された空気を導く第１の空気流動路、１６１１Ｂ１'、１６１１Ｂ２'、１６１１Ｂ３'はそれぞれ、第１の空気流動路１６１１Ａ'から分岐した複数の流動路（第１の空気流動路）、１６１２Ｐ１'、１６１２Ｐ２'、１６１２Ｐ３'は、第１の空気流動路１６１１Ｂ１'、１６１１Ｂ２'、１６１１Ｂ３'の側壁の互いに対向する位置に連通した第２の空気流動路、１６１１Ａｉ'は空気流入口、１６１１Ｂｏ１'、１６１１Ｂｏ２'、１６１１Ｂｏ３'はそれぞれ、第１の空気流動路１６１１Ｂ１'、１６１１Ｂ２'、１６１１Ｂ３'の空気吹き出し口、Ｅｉは流入空気、ＥＢｏ１'、ＥＢｏ２'、ＥＢｏ３'はそれぞれ、空気吹き出し口１６１１Ｂｏ１'、１６１１Ｂｏ２'、１６１１Ｂｏ３'からの吹き出し空気である。
【００２８】
図８において、第１の構体１６１Ａ'内において、第２の空気流動路１６１２Ｐ１'、１６１２Ｐ２'、１６１２Ｐ３'は、コアンダ効果により第１の空気流動路１６１１Ｂ１'、１６１１Ｂ２'、１６１１Ｂ３'内における空気の流れの方向を少なくともＸＹ平面内で変化させる。すなわち、第１の空気流動路１６１１Ｂ１'、１６１１Ｂ２'、１６１１Ｂ３'に流入した空気の一部が第２の空気流動路１６１２Ｐ１'、１６１２Ｐ２'、１６１２Ｐ３'内を流れることにより、該第２の空気流動路１６１２Ｐ１'、１６１２Ｐ２'、１６１２Ｐ３'がそれぞれ、該第１の空気流動路１６１１Ｂ１'、１６１１Ｂ２'、１６１１Ｂ３'と交わる領域の圧力状態を変化させる。該圧力状態の変化により、第１の空気流動路１６１１Ｂ１'、１６１１Ｂ２'、１６１１Ｂ３'のそれぞれにおいて、流れる空気の流動方向がＸＹ平面内で変化する。
【００２９】
上記のように、図８のノズルの第１の構体１６１Ａ'の第１の空気流動路１６１１Ｂ１'、１６１１Ｂ２'、１６１１Ｂ３'のそれぞれにおいて、空気の流動状態は、時間の経過とともに変化する。第１の構体１６１Ａ'は、第１の空気流動路を流れる空気の流動方向が変化する平面内で回動可能なように、第２の構体（図示なし）によって支持されているものとする。
【００３０】
図８の第１の構体１６１Ａ'をノズルに用いた構成のエアシャワー装置の場合も、第１の空気流動路１６１１Ｂ１'、１６１１Ｂ２'、１６１１Ｂ３'を流れる空気の流動方向が変化するＸＹ平面内で空気吹き出し口から吹き出される空気のエアシャワー室内での到達領域をさらに広範囲化することができる。また、エアシャワー室内での該到達領域を各ノズル毎に変えることも可能である。この結果、清浄化する対象体に付着している塵埃等を効果的に吹き飛ばすことができる。
【００３１】
図９は、エアシャワー装置における他のノズル配置例を示す図である。２個のノズル１６ａ、１６ａ'を、エアシャワー室の入り口側に近い位置と出口側に近い位置とに配し、所定の除塵効果を得るようにすることも可能である。
【図面の簡単な説明】
【００３２】
【図１】本発明の実施例としてのエアシャワー装置の構成例図である。
【図２】図１のエアシャワー装置に用いるノズルの構成例図である。
【図３】図２のノズルにおける空気流動路の説明図である。
【図４】図１のエアシャワー装置におけるノズル配置例を示す図である。
【図５】エアシャワー装置におけるノズルの他の構成例図である。
【図６】ノズルのさらに他の構成例図である。
【図７】ノズルの第１の構体内における空気流動路の他の構成例を示す図である。
【図８】ノズルの第１の構体内における空気流動路のさらに他の構成例を示す図である。
【図９】エアシャワー装置における他のノズル配置例を示す図である。
【符号の説明】
【００３３】
１…エアシャワー装置、
１１…送風機、
１２ａ、１２ｂ…フィルタ、
１３…エアシャワー室、
１４ａ、１４ｂ…ドア、
１５…筐体、
１６、１６ａ〜１６ｇ、１６ａ'、１６ｈ'、１６''…ノズル、
１６１、１６１'、１６１''、１６１Ａ…第１の構体、
１６２、１６２''…第２の構体、
１６１１ａ、１６１１ｂ、１６１１ａ'、１６１１ｂ'、１６１１''、１６１１Ａ、１６１１Ｂ１、１６１１Ｂ２、１６１１Ｂ３…第１の空気流動路、
１６１２ａ、１６１２ｂ、１６１２'、１６１２''、１６１２Ｐ…第２の空気流動路、
１６１１ａｉ、１６１１ａｉ'、１６１１ｉ''、１６１１Ａｉ…空気流入口、
１６１１ｂｏ、１６１１ｂｏ'、１６１１ｏ''、１６１１Ｂｏ１、１６１１Ｂｏ２、１６１１Ｂｏ３…空気吹き出し口。
【図１】
2008145088.tif 000003
【図２】
2008145088.tif 000004
【図３】
2008145088.tif 000005
【図４】
2008145088.tif 000006
【図５】
2008145088.tif 000007
【図６】
2008145088.tif 000008
【図７】
2008145088.tif 000009
【図８】
2008145088.tif 000010
【図９】
2008145088.tif 000011